(57)【特許請求の範囲】
【請求項１】
第１波長帯の光を野菜室に照射する第１ＬＥＤと、
前記第１波長帯とは異なる第２波長帯の光を前記野菜室に照射する第２ＬＥＤと、
前記野菜室の画像を取得する画像取得装置と、
前記第１ＬＥＤ及び前記第２ＬＥＤを野菜の概日リズムに合わせて制御する制御装置と、
を備え、
前記制御装置は、前記画像取得装置によって画像を取得する場合は、白色光が前記野菜室に照射されるように前記第１ＬＥＤ及び前記第２ＬＥＤを制御し、
前記第１ＬＥＤは青色光を照射し、
前記制御装置は、前記第１ＬＥＤから青色光が照射されている時に前記画像取得装置によって画像を取得する場合は、画像を取得する前に前記第１ＬＥＤから照射される青色光を強くする冷蔵庫。
【請求項２】
前記第１波長帯及び前記第２波長帯とは異なる第３波長帯の光を前記野菜室に照射する第３ＬＥＤを更に備え、
前記制御装置は、
前記第１ＬＥＤと前記第２ＬＥＤと前記第３ＬＥＤとを野菜の概日リズムに合わせて制御し、
前記画像取得装置によって画像を取得する場合は、白色光が前記野菜室に照射されるように前記第１ＬＥＤと前記第２ＬＥＤと前記第３ＬＥＤとを制御する請求項１に記載の冷蔵庫。
【請求項３】
前記第１ＬＥＤ、前記第２ＬＥＤ及び前記第３ＬＥＤは、それぞれが異なる色の単色光を照射する請求項２に記載の冷蔵庫。
【請求項４】
第１波長帯の光を野菜室に照射する第１ＬＥＤと、
前記第１波長帯とは異なる第２波長帯の光を前記野菜室に照射する第２ＬＥＤと、
前記第１波長帯及び前記第２波長帯とは異なる第３波長帯の光を前記野菜室に照射する第３ＬＥＤと、
前記野菜室の画像を取得する画像取得装置と、
前記第１ＬＥＤと前記第２ＬＥＤと前記第３ＬＥＤとを野菜の概日リズムに合わせて制御する制御装置と、
を備え、
前記制御装置は、前記画像取得装置によって画像を取得する場合は、白色光が前記野菜室に照射されるように前記第１ＬＥＤと前記第２ＬＥＤと前記第３ＬＥＤとを制御し、
前記第１ＬＥＤは青色光を照射し、
前記第２ＬＥＤは緑色光を照射し、
前記第３ＬＥＤは赤色光を照射し、
前記制御装置は、前記第１ＬＥＤと前記第２ＬＥＤと第３ＬＥＤとの全てから光が照射されている時に前記画像取得装置によって画像を取得する場合は、画像を取得する前に前記第１ＬＥＤから照射される青色光を強くし、前記第２ＬＥＤから照射される緑色光を弱くし、前記第３ＬＥＤから照射される赤色光を弱くする冷蔵庫。
【請求項５】
第１波長帯の光を野菜室に照射する第１ＬＥＤと、
前記第１波長帯とは異なる第２波長帯の光を前記野菜室に照射する第２ＬＥＤと、
前記野菜室の画像を取得する画像取得装置と、
前記画像取得装置によって取得された画像を補正する補正手段と、
前記第１ＬＥＤ及び前記第２ＬＥＤを野菜の概日リズムに合わせて制御する制御手段と、
を備え、
前記補正手段は、前記画像取得装置によって画像を取得する際に白色光が前記野菜室に照射されるように前記制御手段によって前記第１ＬＥＤ及び前記第２ＬＥＤが制御されている場合は、前記画像取得装置によって取得された画像を補正しない冷蔵庫。
【発明の詳細な説明】
【技術分野】
【０００１】
この発明は、冷蔵庫に関する。
【背景技術】
【０００２】
特許文献１に、冷蔵庫が記載されている。特許文献１に記載された冷蔵庫は、カメラ及びライトを備える。特許文献１に記載された冷蔵庫では、カメラによって庫内を撮影する際にライトが点灯される。
【先行技術文献】
【特許文献】
【０００３】
【特許文献１】国際公開第２０１４／１４２１１９号
【発明の概要】
【発明が解決しようとする課題】
【０００４】
近年、野菜に光を当てることによって野菜の劣化を遅らせる冷蔵庫が提案されている。例えば、緑色の葉物野菜に光を当てることにより、クロロフィルを活性化させてビタミンＣの生成を促進させる冷蔵庫がある。このような冷蔵庫に用いられる光源は、用途に応じた特定の波長の光を照射する。このため、野菜に光を照射するための光源を撮影用の光源として使用すると、野菜室のきれいな画像を取得することができなかった。
【０００５】
この発明は、上述のような課題を解決するためになされた。この発明の目的は、野菜室に入れられた野菜に光を照射するためのＬＥＤを利用して、野菜室のきれいな画像を取得できる冷蔵庫を提供することである。
【課題を解決するための手段】
【０００６】
この発明に係る冷蔵庫は、第１波長帯の光を野菜室に照射する第１ＬＥＤと、第１波長帯とは異なる第２波長帯の光を野菜室に照射する第２ＬＥＤと、野菜室の画像を取得する画像取得装置と、第１ＬＥＤ及び第２ＬＥＤを野菜の概日リズムに合わせて制御する制御装置と、を備える。制御装置は、画像取得装置によって画像を取得する場合は、白色光が野菜室に照射されるように第１ＬＥＤ及び第２ＬＥＤを制御する。第１ＬＥＤは青色光を照射する。制御装置は、第１ＬＥＤから青色光が照射されている時に画像取得装置によって画像を取得する場合は、画像を取得する前に第１ＬＥＤから照射される青色光を強くする。
この発明に係る冷蔵庫は、第１波長帯の光を野菜室に照射する第１ＬＥＤと、第１波長帯とは異なる第２波長帯の光を野菜室に照射する第２ＬＥＤと、第１波長帯及び第２波長帯とは異なる第３波長帯の光を野菜室に照射する第３ＬＥＤと、野菜室の画像を取得する画像取得装置と、第１ＬＥＤと第２ＬＥＤと第３ＬＥＤとを野菜の概日リズムに合わせて制御する制御装置と、を備える。制御装置は、画像取得装置によって画像を取得する場合は、白色光が野菜室に照射されるように第１ＬＥＤと第２ＬＥＤと第３ＬＥＤとを制御する。第１ＬＥＤは青色光を照射する。第２ＬＥＤは緑色光を照射する。第３ＬＥＤは赤色光を照射する。制御装置は、第１ＬＥＤと第２ＬＥＤと第３ＬＥＤとの全てから光が照射されている時に画像取得装置によって画像を取得する場合は、画像を取得する前に第１ＬＥＤから照射される青色光を強くし、第２ＬＥＤから照射される緑色光を弱くし、第３ＬＥＤから照射される赤色光を弱くする。
【０００７】
この発明に係る冷蔵庫は、第１波長帯の光を野菜室に照射する第１ＬＥＤと、第１波長帯とは異なる第２波長帯の光を野菜室に照射する第２ＬＥＤと、野菜室の画像を取得する画像取得装置と、画像取得装置によって取得された画像を補正する補正手段と、第１ＬＥＤ及び第２ＬＥＤを野菜の概日リズムに合わせて制御する制御手段と、を備える。補正手段は、画像取得装置によって画像を取得する際に白色光が野菜室に照射されるように制御手段によって第１ＬＥＤ及び第２ＬＥＤが制御されている場合は、画像取得装置によって取得された画像を補正しない。
【発明の効果】
【０００８】
この発明に係る冷蔵庫であれば、野菜室に入れられた野菜に光を照射するためのＬＥＤを利用して、野菜室のきれいな画像を取得することができる。
【図面の簡単な説明】
【０００９】
【図１】この発明の実施の形態１における冷蔵庫の断面を示す図である。
【図２】冷蔵庫に備えられた機器の電気的な接続を示す図である。
【図３】この発明の実施の形態１における冷蔵庫の動作を示すフローチャートである。
【図４】冷蔵庫が図３に示す動作を行う時のタイミングチャートを示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における冷蔵庫１の断面を示す図である。図２は、冷蔵庫１に備えられた機器の電気的な接続を示す図である。先ず、図１及び図２を参照し、冷蔵庫１の全体構成について説明する。冷蔵庫１は、例えば本体２、扉８〜１１、操作パネル１２、制御装置１５、開閉センサ１６、圧縮機１７、冷却器１８、送風機１９、発光装置２０及びカメラ２４を備える。
【００１２】
本体２に、食材等を入れるための複数の部屋が形成される。例えば、本体２に、冷蔵室３、切替室４、製氷室（図示せず）、冷凍室５及び野菜室６が形成される。本体２に形成された各部屋は、発泡ウレタン等の断熱材によって仕切られる。本体２に形成される部屋の数、種類及び配置は、図１に示す例に限定されない。
【００１３】
冷蔵室３は、例えば容量が一番大きい部屋である。冷蔵室３の中に、チルド室７を備えても良い。チルド室７は、肉及び魚を入れるための部屋である。冷蔵室３は、扉８によって開閉される。
【００１４】
操作パネル１２は、例えば扉８の前面に設けられる。操作パネル１２を他の扉或いは本体２に設けても良い。操作パネル１２は、例えば入力部１３と報知部１４とを備える。使用者は、入力部１３を操作して情報を入力する。例えば、使用者は、入力部１３を操作して、各部屋の温度を設定する。報知部１４からは、使用者に対する報知が行われる。例えば、ディスプレイ及びスピーカが報知部１４として操作パネル１２に備えられる。操作パネル１２は、制御装置１５に電気的に接続される。
【００１５】
切替室４は、温度の切り替えが可能な部屋である。例えば、制御装置１５に、切替室４の設定温度として複数の温度が予め登録される。使用者は、例えば操作パネル１２の入力部１３を操作して、切替室４の設定温度を選択する。切替室４は、扉９によって開閉される。製氷室は、氷を作り、保存する部屋である。製氷室は、切替室４の隣りに配置される。
【００１６】
冷凍室５は、食材等を冷凍するための部屋である。冷凍室５の温度は、例えば氷点下に保たれる。冷凍室５は、扉１０によって開閉される。
【００１７】
野菜室６は、野菜等を入れるための部屋である。野菜室６に、大型の飲料用の容器を入れても良い。例えば、野菜室６に、２Ｌのペットボトルを入れても良い。野菜室６は、扉１１によって開閉される。
【００１８】
扉８〜１１のそれぞれに開閉センサが設けられる。例えば、開閉センサ１６は、野菜室６の扉１１に設けられる。開閉センサ１６は、扉１１が開いていること或いは閉まっていることを検出する。開閉センサ１６が検出した結果は、制御装置１５に入力される。制御装置１５は、開閉センサ１６が検出した結果に基づいて、扉１１が開いている時間をカウントする。制御装置１５は、扉１１が閉まっている時間をカウントしても良い。制御装置１５は、上記カウントした時間を制御パラメータとして種々の制御に利用する。例えば、制御装置１５は、扉１１が第１基準時間以上開いていることを判定すると、操作パネル１２の報知部１４から報知を行う。例えば、制御装置１５は、報知部１４として備えられたブザー或いはチャイムを鳴らす。これにより、使用者に注意を促す。
【００１９】
圧縮機１７及び冷却器１８は、冷蔵庫１に備えられた冷凍サイクルの一部を構成する。圧縮機１７、冷却器１８及び送風機１９は、制御装置１５に電気的に接続される。送風機１９が動作すると、冷蔵庫１の内部に気流が発生する。これにより、冷却器１８によって冷やされた空気が送風ダクトを通り、各部屋に送られる。各部屋には、冷気を取り込むための吹出口が形成される。部屋に収納された食材等は、吹出口から部屋に取り込まれた冷気によって冷却される。各部屋で食材等を冷却することによって暖められた空気は、吸込口から戻りダクトに入る。戻りダクトを通過した空気は冷却器１８に至り、冷却器１８を通過することによって再び冷却される。
【００２０】
圧縮機１７、冷却器１８及び送風機１９の各動作は、制御装置１５によって制御される。例えば、本体２に形成された各部屋に温度センサ（図示せず）が設けられる。温度センサは、例えば温度検知用のサーミスタからなる。温度センサが検知した温度の情報は、制御装置１５に入力される。制御装置１５は、例えば温度センサから入力された情報及び操作パネル１２から入力された情報に基づいて、圧縮機１７、冷却器１８及び送風機１９の各動作を制御する。また、制御装置１５は、風路を開閉するダンパ（図示せず）の動作を制御する。
【００２１】
制御装置１５は、外部機器との間で情報の送受信を行っても良い。例えば、制御装置１５は、設定温度を変更するための信号を外部機器から受信する。制御装置１５は、庫内の状況を確認するための信号を外部機器から受信しても良い。外部機器には、例えばスマートフォンが含まれる。
【００２２】
発光装置２０は、野菜室６に光を照射する。発光装置２０は、例えば野菜室６に設けられる。発光装置２０は、野菜室６を形成する壁面のうち、奥側の壁面に設けられる。発光装置２０は、制御装置１５に電気的に接続される。発光装置２０は、制御装置１５によって制御される。発光装置２０は、例えば、ＬＥＤ２１、ＬＥＤ２２及びＬＥＤ２３を備える。ＬＥＤは、Ｌｉｇｈｔ  Ｅｍｉｔｔｉｎｇ  Ｄｉｏｄｅの略である。
【００２３】
ＬＥＤ２１は、青色光を放つ。以下においては、青色光のことを「Ｂ光」ともいう。例えば、ＬＥＤ２１から放たれるＢ光の波長は４３０〜５００ｎｍである。ＬＥＤ２１からのＢ光は野菜室６に照射される。
【００２４】
ＬＥＤ２２は、緑色光を放つ。以下においては、緑色光のことを「Ｇ光」ともいう。例えば、ＬＥＤ２２から放たれるＧ光の波長は５００〜５５０ｎｍである。ＬＥＤ２２からのＧ光は野菜室６に照射される。
【００２５】
ＬＥＤ２３は、赤色光を放つ。以下においては、赤色光のことを「Ｒ光」ともいう。例えば、ＬＥＤ２３から放たれるＲ光の波長は６００〜７８０ｎｍである。ＬＥＤ２３からのＲ光は野菜室６に照射される。
【００２６】
ＬＥＤ２１、ＬＥＤ２２及びＬＥＤ２３は、制御装置１５によって個別に制御可能である。ＬＥＤ２１、ＬＥＤ２２及びＬＥＤ２３の全てが同時に且つ定格で点灯すると、発光装置２０からは白色光が放たれる。発光装置２０は、ＬＥＤ２１、ＬＥＤ２２及びＬＥＤ２３を１つのパッケージとして構成しても良い。例えば、発光装置２０として３色ＬＥＤを採用しても良い。また、ＬＥＤ２１、ＬＥＤ２２及びＬＥＤ２３のそれぞれを１つのパッケージとして構成しても良い。
【００２７】
カメラ２４は、野菜室６を撮影する。カメラ２４は、野菜室６の画像を取得する画像取得装置の一例である。画像取得装置は、カメラ２４に限定されない。カメラ２４は、例えば野菜室６に設けられる。カメラ２４は、野菜室６を形成する壁面のうち、奥側の壁面に設けられる。カメラ２４は、制御装置１５に電気的に接続される。カメラ２４は、制御装置１５によって制御される。カメラ２４によって撮影された野菜室６の画像の情報は、制御装置１５に入力される。
【００２８】
次に、野菜と光の関係について説明する。
生物は、概日リズムを持つ。即ち、生物は、昼夜があることを正常な状態として生きているものが多い。植物も例外ではない。野菜は収穫後も生きているため、冷蔵庫１で保存する野菜に対しても、昼夜がある環境を提供することが理に適っている。つまり、収穫される前と同様に、光が照射される時間帯と光が照射されない時間帯とが交互に訪れることが良い。
【００２９】
このような理由から、冷蔵庫１では、発光装置２０の点灯と消灯とが一定のリズムで繰り返される。発光装置２０が点灯している時間と発光装置２０が消灯している時間とは同じであることが好ましい。また、発光装置２０が点灯している時間と発光装置２０が消灯している時間とは、それぞれが５時間以上であることが好ましい。例えば、発光装置２０が点灯している時間として、５〜１５時間が好適である。発光装置２０が消灯している時間として、５〜１５時間が好適である。これは、点灯及び消灯を短いサイクルで繰り返すと、野菜の生合成機能が活性化する前に暗くなってしまうからである。点灯及び消灯のサイクルが短いと、光を照射しないのと同じ結果になってしまう。
【００３０】
植物にとって光が当たり始めた合図となる波長の光はＢ光である。Ｂ光が植物に当たると、植物は、気孔を開いて生合成に必要な二酸化炭素を空気中から取り込む。したがって、野菜に光を照射する場合は、照射開始時にＢ光が含まれていることが重要である。Ｇ光及びＲ光は、クロロフィルの活性化と生合成機能による糖及びビタミンＣ等の合成とを促す。このため、Ｂ光を野菜に照射する際に、Ｇ光及びＲ光も野菜に照射することが良い。
【００３１】
Ｂ光の量は、Ｇ光の量及びＲ光の量より少ない方が効果的である。例えば、Ｂ光の量は、Ｇ光の量及びＲ光の量の１／４以下で良い。望ましくは、Ｂ光の量は、Ｇ光の量及びＲ光の量の１／５〜１／１０が良い。光が当たり始めたと植物が認識した後であれば、植物にＢ光を照射しなくても良い。全体として十分な光量が確保できれば、Ｂ光の量を少なくしても良い。この場合、発光装置２０から放たれる光は白色にならない。発光装置２０から放たれる光はセピア色或いは橙色になる。
【００３２】
野菜室６に保存されている野菜の概日リズムだけを考慮する場合の制御例は以下の通りである。例えば、制御装置１５は、発光装置２０を点灯させると、点灯が開始されてからの経過時間をカウントする。制御装置１５は、点灯が開始されてから一定時間が経過すると、発光装置２０を消灯させる。制御装置１５は、発光装置２０を消灯させると、消灯させてからの経過時間をカウントする。制御装置１５は、発光装置２０の消灯時間が発光装置２０を点灯させていた時間と同じ時間になると、発光装置２０を再び点灯させる。制御装置１５は、上記制御を繰り返す。
【００３３】
制御装置１５は、カメラ２４によって野菜室６を撮影する場合、発光装置２０から照射される光を撮影用に調整する。以下に、図３及び図４も参照し、カメラ２４による撮影も考慮した場合の制御例について詳しく説明する。図３は、この発明の実施の形態１における冷蔵庫１の動作を示すフローチャートである。図４は、冷蔵庫１が図３に示す動作を行う時のタイミングチャートを示す図である。
【００３４】
冷蔵庫１の電源が入れられると（Ｓ１）、制御装置１５は、各部屋を冷却するための運転を開始する。次に、制御装置１５は、開始条件が成立したか否かを判定する（Ｓ２）。開始条件は、野菜の概日リズムに合わせた制御を開始するための条件である。例えば、使用者が操作パネル１２の入力部１３に対して特定の操作を行うと、開始条件が成立する。他の条件を開始条件として採用しても良い。制御装置１５は、開始条件が成立すると、野菜の概日リズムに合わせた制御を開始する。
【００３５】
制御装置１５には、野菜の概日リズムに合わせた制御として、例えば昼モードと夜モードとを交互に繰り返す制御が予め登録されている。昼モードでは、ＬＥＤ２２を流れる電流の値がＡ２２になるように制御される。これにより、時刻ｔ０から時刻ｔ４までの間、ＬＥＤ２２からＧ光が放たれる。時刻ｔ０は昼モードが開始される時刻である。時刻ｔ４は昼モードが終了する時刻である。なお、図４に示す時刻ｔ３、ｔ４及びｔ７は、時刻ｔ０が決まることによって決まる時刻である。また、昼モードでは、ＬＥＤ２３を流れる電流の値がＡ３２になるように制御される。これにより、時刻ｔ０から時刻ｔ４までの間、ＬＥＤ２３からＲ光が放たれる。
【００３６】
ＬＥＤ２１に対しては、昼モードの開始から時刻ｔ３になるまで、電流値がＡ１１になるように制御される。これにより、時刻ｔ０から時刻ｔ３までの間、ＬＥＤ２１からＢ光が放たれる。時刻ｔ３は、時刻ｔ４より早い時刻である。時刻ｔ３は、例えば、野菜の気孔が開くまでの時間に基づいて設定される。時刻ｔ３は、例えば時刻ｔ０の１０分後の時刻に設定される。ＬＥＤ２１に対しては、時刻ｔ３から昼モードが終了するまで、電流値が０になるように制御される。これにより、時刻ｔ３から時刻ｔ４までの間、ＬＥＤ２１は消灯される。昼モードでは、時刻ｔ０から時刻ｔ３までの間、発光装置２０の各ＬＥＤから光が照射される。
【００３７】
一方、夜モードでは、ＬＥＤ２１、ＬＥＤ２２及びＬＥＤ２３を流れる電流の値が０になるように制御される。即ち、夜モードでは、ＬＥＤ２１、ＬＥＤ２２及びＬＥＤ２３の全てが消灯される。
【００３８】
制御装置１５は、Ｓ２で開始条件が成立すると、発光装置２０の各ＬＥＤを野菜の概日リズムに合わせて制御する。具体的に、制御装置１５は、昼モードによるＬＥＤの点灯制御を開始する（Ｓ３）。昼モードによる制御が開始されると、野菜室に保存されている野菜に対して、Ｇ光及びＲ光とともにＢ光が照射される。これにより、野菜の気孔が開き、生合成に必要な二酸化炭素が野菜に取り込まれる。
【００３９】
制御装置１５は、昼モードによる点灯制御を開始すると、昼モードによる制御が開始されてからの経過時間をカウントする（Ｓ４）。例えば、制御装置１５は、次式に基づいて昼モードによる制御が開始されてからの経過時間を算出する。
ｔｉｍｅ＿Ａ＝ｔｉｍｅ＿Ａ＋ｄｔ    ・・・（１）
ここで、
ｔｉｍｅ＿Ａ：発光装置２０の点灯積算時間［ｓｅｃ］
ｄｔ        ：時間幅［ｓｅｃ］
である。式１によって算出されたｔｉｍｅ＿Ａは、昼モードによる制御が開始されてからの経過時間に相当する。
【００４０】
また、制御装置１５は、昼モードによる点灯制御を開始すると、野菜室６の画像を取得する要求があるか否かを判定する（Ｓ５）。例えば、制御装置１５は、野菜室６の扉１１が開いた後に閉じると、上記要求があると判定する。制御装置１５は、庫内の状況を確認するための信号を外部機器から受信した場合に、上記要求があると判定しても良い。上記要求があると制御装置１５が判定する条件は、上記例に限定されない。本実施の形態では、扉１１が開いた後に時刻ｔ１で扉１１が閉じた例を示す。制御装置１５は、時刻ｔ１で野菜室６の画像を取得する要求があると判定する。
【００４１】
制御装置１５は、Ｓ５で野菜室６の画像を取得する要求があると判定すると、野菜の概日リズムに合わせた制御を一旦中断し、撮影モードによる制御を開始する（Ｓ６）。昼モードによる制御が行われている時の発光装置２０の点灯状態は、カメラ２４によって野菜室６を撮影するのに適した状態とはいえない。制御装置１５は、Ｓ５で野菜室６の画像を取得する要求があると判定すると、発光装置２０の点灯状態がカメラ２４による撮影に適した状態になるように制御する。
【００４２】
撮影モードでは、ＬＥＤ２２を流れる電流の値がＡ２１になるように制御される。電流値Ａ２１は、電流値Ａ２２より小さい値である。昼モードから撮影モードに移行する際、ＬＥＤ２２を流れる電流の値は小さくなる。即ち、ＬＥＤ２２から照射されるＧ光は弱くなる。同様に、撮影モードでは、ＬＥＤ２３を流れる電流の値がＡ３１になるように制御される。電流値Ａ３１は、電流値Ａ３２より小さい値である。昼モードから撮影モードに移行する際、ＬＥＤ２３を流れる電流の値は小さくなる。即ち、ＬＥＤ２３から照射されるＲ光は弱くなる。
【００４３】
撮影モードでは、ＬＥＤ２１を流れる電流の値がＡ１２になるように制御される。図４は、時刻ｔ０から時刻ｔ３までの間にカメラ２４による撮影が行われる例を示す。時刻ｔ０から時刻ｔ１までの間、ＬＥＤ２１を流れる電流の値はＡ１１である。電流値Ａ１２は、電流値Ａ１１より大きい値である。このため、時刻ｔ０から時刻ｔ３までの間で昼モードから撮影モードに移行すると、ＬＥＤ２１を流れる電流の値は大きくなる。即ち、ＬＥＤ２１から照射されるＢ光は強くなる。制御装置１５は、カメラ２４によって野菜室６を撮影する場合は、白色光が野菜室６に照射されるように発光装置２０の各ＬＥＤを制御する。
【００４４】
昼モードによる制御では、野菜室６に照射されるＧ光及びＲ光はより強い方が好ましい。このため、本実施の形態に示す例では、カメラ２４による撮影を行う際に、Ｇ光及びＲ光が弱くなるように電流値を調整している。また、上述したように、Ｂ光の量はＧ光の量及びＲ光の量の１／５〜１／１０が好ましい。このため、本実施の形態に示す例では、Ｂ光が照射されている時にカメラ２４による撮影を行う場合は、Ｂ光が強くなるように電流値を調整している。なお、昼モードでは、時刻ｔ３から時刻ｔ４までの間、ＬＥＤ２１からＢ光は照射されない。この時にカメラ２４による撮影を行う場合は、ＬＥＤ２１を流れる電流の値が０からＡ１２に上げられる。
【００４５】
制御装置１５は、発光装置２０の各ＬＥＤを流れる電流値を撮影用の値に調整した後、カメラ２４によって野菜室６を撮影する。カメラ２４によって撮影された野菜室６の画像の情報は、制御装置１５に入力される。制御装置１５は、報知部１４として備えられたディスプレイに、カメラ２４によって撮影された野菜室６の画像を表示させても良い。制御装置１５は、外部機器に、カメラ２４によって撮影された野菜室６の画像の情報を転送しても良い。制御装置１５は、カメラ２４によって撮影された野菜室６の画像の情報を保存し、使用者が後で画像を確認できるようにしても良い。制御装置１５は、カメラ２４による撮影が終了すると、撮影モードによる制御を終了し、野菜の概日リズムに合わせた制御を再開する。
【００４６】
また、制御装置１５は、昼モードによる点灯制御を開始すると、昼モードによる制御が開始されてからの経過時間が予め設定された第２基準時間を超えたか否かを判定する（Ｓ７）。例えば、制御装置１５は、次式が成立するか否かに基づいてＳ７の判定を行う。
ｔｉｍｅ＿Ａ＞ｔｉｍｅ＿Ａ＿Ｍａｘ    ・・・（２）
ここで、
ｔｉｍｅ＿Ａ＿Ｍａｘ：発光装置２０の点灯上限時間［ｓｅｃ］
である。ｔｉｍｅ＿Ａ＿Ｍａｘは、上記第２基準時間に相当する。
【００４７】
制御装置１５は、昼モードによる制御が開始されてからの経過時間が第２基準時間を超えたことを判定するまで、Ｓ３からＳ６に示す一連の処理を行う。制御装置１５は、昼モードによる制御が開始されてからの経過時間が第２基準時間を超えたことを判定すると、昼モードによる制御を終了して夜モードによる制御を開始する（Ｓ８）。
【００４８】
夜モードでは、ＬＥＤ２１、ＬＥＤ２２及びＬＥＤ２３の全てが消灯される。即ち、制御装置１５は、昼モードから夜モードに移行する際に、ＬＥＤ２１に流れる電流値を０のままにする。同様に、制御装置１５は、ＬＥＤ２２に流れる電流値をＡ２２から０にする。制御装置１５は、ＬＥＤ２３に流れる電流値をＡ３２から０にする。
【００４９】
制御装置１５は、夜モードによる制御を開始すると、夜モードによる制御が開始されてからの経過時間をカウントする（Ｓ９）。例えば、制御装置１５は、次式に基づいて夜モードによる制御が開始されてからの経過時間を算出する。
ｔｉｍｅ＿Ｂ＝ｔｉｍｅ＿Ｂ＋ｄｔ    ・・・（３）
ここで、
ｔｉｍｅ＿Ｂ：発光装置２０の消灯積算時間［ｓｅｃ］
ｄｔ        ：時間幅［ｓｅｃ］
である。式３によって算出されたｔｉｍｅ＿Ｂは、夜モードによる制御が開始されてからの経過時間に相当する。
【００５０】
また、制御装置１５は、夜モードによる制御を開始すると、野菜室６の画像を取得する要求があるか否かを判定する（Ｓ１０）。制御装置１５は、Ｓ１０で野菜室６の画像を取得する要求があると判定すると、野菜の概日リズムに合わせた制御を一旦中断し、撮影モードによる制御を開始する（Ｓ１１）。
【００５１】
夜モードでは、ＬＥＤ２１、ＬＥＤ２２及びＬＥＤ２３の全てが消灯されている。制御装置１５は、Ｓ１０で野菜室６の画像を取得する要求があると判定すると、発光装置２０の各ＬＥＤの電流値を撮影用の値に調整する。即ち、制御装置１５は、ＬＥＤ２１を流れる電流の値がＡ１２になるように制御する。制御装置１５は、ＬＥＤ２２を流れる電流の値がＡ２１になるように制御する。制御装置１５は、ＬＥＤ２３を流れる電流の値がＡ３１になるように制御する。これにより、発光装置２０から野菜室６に白色光が照射される。
【００５２】
制御装置１５は、発光装置２０の各ＬＥＤを流れる電流値を撮影用の値に調整した後、カメラ２４によって野菜室６を撮影する。制御装置１５は、カメラ２４による撮影が終了すると、撮影モードによる制御を終了し、野菜の概日リズムに合わせた制御を再開する。
【００５３】
なお、撮影モードによる制御が開始されると、野菜室６の野菜にＢ光が照射される。上述したように、Ｂ光は、植物にとって光が当たり始めた合図となる光である。野菜室６の野菜にＢ光が長時間照射されると、野菜の概日リズムが狂ってしまう可能性がある。このため、夜モードを一旦中断してカメラ２４による撮影を行う場合は、野菜にＢ光が照射される時間が第３基準時間以下になるようにする。第３基準時間は、例えば、野菜の気孔が開くまでの時間に基づいて設定される。第３基準時間は、例えば１０分に設定される。
【００５４】
また、制御装置１５は、夜モードによる制御を開始すると、夜モードによる制御が開始されてからの経過時間が予め設定された第４基準時間を超えたか否かを判定する（Ｓ１２）。例えば、制御装置１５は、次式が成立するか否かに基づいてＳ１２の判定を行う。
ｔｉｍｅ＿Ｂ＞ｔｉｍｅ＿Ｂ＿Ｍａｘ    ・・・（４）
ここで、
ｔｉｍｅ＿Ｂ＿Ｍａｘ：発光装置２０の消灯上限時間［ｓｅｃ］
である。ｔｉｍｅ＿Ｂ＿Ｍａｘは、上記第４基準時間に相当する。
【００５５】
制御装置１５は、夜モードによる制御が開始されてからの経過時間が第４基準時間を超えたことを判定するまで、Ｓ８からＳ１１に示す一連の処理を行う。制御装置１５は、夜モードによる制御が開始されてからの経過時間が第４基準時間を超えたことを判定すると、夜モードによる制御を終了して昼モードによる制御を再開する。
【００５６】
上記構成を有する冷蔵庫１であれば、野菜室６に入れられた野菜に光を照射するためのＬＥＤを利用して、野菜室６のきれいな画像を取得することができる。即ち、制御装置１５は、発光装置２０の各ＬＥＤを野菜の概日リズムに合わせて制御する。このため、野菜の劣化を遅らせることができる。また、制御装置１５は、カメラ２４による撮影を行う場合は、白色光が野菜室６に照射されるように発光装置２０の各ＬＥＤを制御する。このため、野菜室６のきれいな画像を取得することができる。
【００５７】
本実施の形態で開示した制御内容は一例である。野菜室６に保存する野菜の種類に合わせて、昼モードの制御内容を変えても良い。例えば、果菜類、根菜類及び紫キャベツといった野菜は、気孔がない或いは気孔が少ない。このような野菜ばかりが野菜室６に入れられている場合は、カメラ２４による撮影時以外はＢ光を野菜室６に照射しなくても良い。ほうれん草及び小松菜といった薄い葉物野菜ばかりが野菜室６に入れられている場合は、葉の表面での吸収率が高いＲ光の量を多くしても良い。キャベツ及び白菜といった結球している野菜ばかりが野菜室６に入れられている場合は、Ｇ光の量を多くしても良い。これにより、野菜の内部まで光を到達させることができる。野菜室６に入れられている野菜に応じて昼モードの制御内容を変えることにより、野菜の劣化を更に抑制できる。また、不要なＬＥＤを点灯させなければ、消費電力を抑制できる。
【００５８】
本実施の形態では、ＬＥＤ２１、ＬＥＤ２２及びＬＥＤ２３がそれぞれ異なる波長帯の光（単色光）を照射する例について説明した。ＬＥＤ２１、ＬＥＤ２２及びＬＥＤ２３が照射する光の例は、上記例に限定されない。なお、ＬＥＤ２１が第１波長帯の光を照射し、ＬＥＤ２２が第２波長帯の光を照射する場合、第１波長帯の一部と第２波長帯の一部が同じでも、第１波長帯の全部と第２波長帯の全部が同じでなければ、第１波長帯と第２波長帯は異なる波長帯である。
【００５９】
上述したように、Ｇ光及びＲ光は、クロロフィルの活性化と生合成機能による糖及びビタミンＣ等の合成とを促す。Ｂ光は、アントシアニン系の栄養素を増量させる効果もある。また、紫外線は、ポリフェノールを増量させる効果がある。目的に応じて追加するＬＥＤを選択しても良い。
【００６０】
また、ＬＥＤ２１として、青色ＬＥＤチップ及び黄色蛍光体を備えたＬＥＤを用いても良い。かかる場合、ＬＥＤ２１からは白色光が照射される。このようなＬＥＤ２１を採用した場合、制御装置１５は、カメラ２４によって野菜室６を撮影する際に、ＬＥＤ２１のみを点灯させ、他のＬＥＤを消灯させる。カメラ２４による撮影時にＬＥＤ２１のみを点灯させるため、消費電力を抑制できる。また、野菜に照射するＢ光が不足することもない。
【００６１】
制御装置１５は、カメラ２４によって撮影された野菜室６の画像を補正する機能を備えても良い。例えば、夜モードでは、発光装置２０の全てのＬＥＤが消灯されている。このため、夜モードから撮影モードに移行する場合は、本実施の形態で開示した内容と同様の内容でカメラ２４による撮影を行う。即ち、発光装置２０から白色光を照射し、カメラ２４による撮影を行う。
【００６２】
一方、昼モードでは発光装置２０が点灯している。しかし、発光装置２０から照射される光は白色光ではない。かかる場合、制御装置１５は、発光装置２０の点灯状態を変えずにカメラ２４による撮影を行う。制御装置１５は、カメラ２４によって撮影された野菜室６の画像を補正機能によって色補正する。即ち、制御装置１５は、カメラ２４による撮影時に白色光が野菜室６に照射されるように各ＬＥＤを制御していれば、補正機能による色補正を行わない。白色光が野菜室６に照射されていない状態でカメラ２４による撮影が行われると、制御装置１５は補正機能による色補正を実施する。
【００６３】
補正機能を備えた制御装置１５を本実施の形態に示す具体例に適用した場合、夜モードから撮影モードに移行したのであれば色補正は行われない。昼モードから撮影モードに移行した場合に色補正は行われる。このような構成であれば、撮影時にＧ光及びＲ光が弱くなることを防止できる。また、波長が短い青色光は、ＬＥＤに用いられている樹脂の劣化に寄与する。補正機能を用いることにより、撮影時にＬＥＤ２１に流れる電流を低く抑えることができる。これにより、ＬＥＤ２１の寿命を延ばすことができる。
【００６４】
本実施の形態では、発光装置２０が３つのＬＥＤを備える例について説明した。これは一例である。発光装置２０に備えられるＬＥＤは２つでも良い。発光装置２０は、４つ以上のＬＥＤを備えても良い。
【００６５】
制御装置１５は、ハードウェア資源として、例えば入出力インターフェース２５とプロセッサ２６とメモリ２７とを含む処理回路を備える。制御装置１５は、メモリ２７に記憶されたプログラムをプロセッサ２６によって実行することにより、上述した各機能を実現する。制御装置１５が有する各機能の一部又は全部をハードウェアによって実現しても良い。
【符号の説明】
【００６６】
１  冷蔵庫、  ２  本体、  ３  冷蔵室、  ４  切替室、  ５  冷凍室、  ６  野菜室、  ７  チルド室、  ８〜１１  扉、  １２  操作パネル、  １３  入力部、  １４  報知部、  １５  制御装置、  １６  開閉センサ、  １７  圧縮機、  １８  冷却器、  １９  送風機、  ２０  発光装置、  ２１〜２３  ＬＥＤ、  ２４  カメラ、  ２５  入出力インターフェース、  ２６  プロセッサ、  ２７  メモリ
【図１】
0006582882.tif 000002
【図２】
0006582882.tif 000003
【図３】
0006582882.tif 000004
【図４】
0006582882.tif 000005